(57)【要約】　　　（修正有）【課題】この発明は、スプレー缶による高所噴霧作業を地上にて可能ならしめる装置に関するものである。【解決手段】スプレー缶をセットする頭部（１）の下に支持管及び操作部（２）を設け、さらにその下にスプリング応力調整用の底部（３）を接続し、力の伝達又バランスをワイヤーに持たせ軽量化を図り地上にてスプレー缶による簡易な噴霧作業を可能ならしめる。【選択図】　図１
2004082086.tif 000002
【特許請求の範囲】
【請求項１】
（イ）スプレー缶噴霧押しボタン固定ボルト（２）の頭に調節つまみ（１）を設ける。
（ロ）スプレー缶噴霧押しボタン固定ボルト支持材（３）にネジ式で上下出来るスプレー缶噴霧押しボタン固定ボルト（２）を設ける。
（ハ）スプレー缶固定ボルト支持材（３）と一体化したパイプフレンジ（１４）を設ける。
（ニ）スプレー缶固定金物支持材（５）にスプレー缶固定金物（缶ホールド用）（４）を設ける。
（ホ）スプレー缶固定支持材（５）と一体化したスプレー缶受け皿（７）を設ける。
（ヘ）雌ネジを切ったスプレー缶受け皿（７）にスプレー缶受け皿、ワイヤー連結ボルト（１１）を設ける。
（ト）スプレー缶受け皿（７）とスプレー缶受け皿、ワイヤー連結ボルト（１１）を締め付ける連結用ワッシャー（９）を設ける。
（チ）スプレー缶受け皿（７）とスプレー缶受け皿、ワイヤー連結ボルト（１１）を締め付ける連結用スプリングワッシャー（１０）を設ける。
（リ）スプレー缶受け皿（７）とスプレー缶受け皿、ワイヤー連結ボルト（１１）を締め付ける連結用ナット（８）を設ける。
（ヌ）パイプフレンジ（１４）とスプレー缶受け皿、ワイヤー連結ボルト用ナットの間にバランススプリング用ワッシャー（１２）を介し応力を持たせたバランススプリング（１３）を設ける。
（ル）パイプフレンジ（１４）にスプレー缶受け皿、ワイヤー連結ボルト（１１）の貫通用穴を設ける。
（オ）パイプフレンジ（１４）に支持管（１５）を接続し高所迄届く用にする。
（ワ）スプレー缶受け皿、ワイヤー連結ボルト（１１）とバランス調整ボルト（２４）の間にワイヤー間連結噴霧操作金物（１９）を介しワイヤー（１７）を設ける。
（カ）支持管（１５）を芯としスライド出来る噴霧操作握り（１８）を設ける。
（ヨ）噴霧操作握り（１８）とワィヤー間連結噴霧操作金物（１９）をビス（２０）により一体化する。
（タ）ワイヤー（１７）をワイヤー止めスリーブ（１６）にて圧着止めをする。
（レ）支持管（１５）端末部にバランス調整スプリング受けパイプエンド（２２）を設ける。
（ソ）バランス調整スプリング受けパイプエンド（２２）にバランス調整ボルト（２４）用貫通穴を設ける。
（ツ）バランス調整スプリング受けパイプエンド（２２）とバランス調整ボルト用ワッシャー（２５）の間にバランス調整ボルト（２４）を芯として応力を持たせたバランス調整スプリング（２３）を設ける。
（ネ）バランス調整ボルト（２４）にバランス調整ボルト用ナット（２６）をダブルで設ける。
以上の如く構成された、高所スプレー缶噴霧装置本体
【請求項２】
バランススプリング（１３）とバランス調整スプリング（２３）の応力バランスを利用した請求項１の高所スプレー缶噴霧装置本体
【請求項３】
バランススプリング（１３）とバランス調整スプリング（２３）の応力（張力）に対応しバランスさせるため同スプリング間にワイヤー（１７）を張った請求項１の高所スプレー缶噴霧装置本体
【請求項４】
ワイヤー（１７）の間にワイヤー間連結操作金物（１９）と連結した噴霧操作握り（１８）を付けた噴霧量調整可能な請求項１の高所スプレー缶噴霧装置本体
【請求項５】
バランス調整スプリング受けパイプエンド（２２）バランス調整スプリング（２３）バランス調整ボルト（２４）バランス調整ボルト用ワッシャー（２５）バランス調整ボルト用ナットダブルをもってスプリングの応力を調整できる請求項項１の高所スプレー缶噴霧装置本体
【請求項６】
スプレー缶（別途）（３２）をホールドするスプレー缶固定金物（バネ式）（４）スブレー缶固定金物支持材（５）スプレー缶受け皿（７）を一体化した請求項項１の高所スプレー缶噴霧装置本体
【請求項７】
スプレー缶（別途）（３２）の押しボタンの上昇を押さえるスプレー缶噴霧押しボタン固定ボルト（２）とスプレー缶噴霧押しボタン固定ボルト調整つまみ（１）を持った請求項１の高所スプレー缶噴霧装置本体
【請求項８】
スプレー缶（別途）（３２）の押しボタンを押すのではなくスプレー缶（別途）（３２）本体をスプレー缶受け皿（７）とも噴霧操作握り（１８）の操作により、スプレー缶噴霧押しボタン固定ボルト（２）側に押し上げ、あたかもスプレー缶押しボタンを押した作用と同じことをする請求項１の高所スプレー缶噴霧装置本体
【請求項９】
スプリング（１３）と（２３）の応力バランスを噴霧操作握り（１８）の操作によりくずしスプレー缶に動きを持たせた請求項１の高所スプレー缶噴霧装置本体
【請求項１０】
（イ）スプレー缶噴霧押しボタン固定ボルト（２）を受け止めるプレート（２６）を設ける。
（ロ）受けプレート（２６）と連結一体化する受けプレート缶当て座板連結枠（２７）を設ける。
（ハ）受けプレート缶当て座板連結枠（２７）にスプレー缶引き金（別途）を操作する引き金当て部（２８）を設ける。
（ニ）缶当て座板（２９）にスプレー缶固定金物として缶ホールド爪（３０）を３箇所設ける。
（ホ）受けプレート缶当て座板連結枠（２７）と缶当て座板（２９）の間にＵ字型の応力を持った板バネ（３１）を設け一体化する。
尚このバネ（３１）の応力は本体のバランススプリング（１３）バラン調整スプリング（２３）より小さいものとする。
以上のごとく構成された、引き金式操作スプレー缶用アタッチメント
【請求項１１】
スプレー缶噴霧押しボタン固定ボルト（２）と引き金式スプレー缶（３３）の間に入れる。請求項１０の引き金式操作スプレー缶用アタッチメント
【請求項１２】
引き金式スプレー缶（３３）を缶当て座板（２９）と一体化した缶ホールド爪（３０）×３本でホールドする請求項１０の引き金式操作スプレー缶用アタッチメント
【請求項１３】
板バネ（３１）を支点とし受けプレート（２６）、受けプレート缶当て座板連結枠（２７）をアームとしたモーメント力で引き金式スプレー缶（３３）の引き金を引き金当て部（２８）の接触により動作させる請求項１０の引き金式操作スプレー缶用アタッチメント
【請求項１４】
板バネ（３１）の応力、復元力を利用した、請求項１０の引き金式操作スプレー缶用アタッチメント
【発明の詳細な説明】
【０００１】
【発明の属する技術分野】
この発明は頭部にプッシュ式スプレー缶ないし、引き金式スプレー缶（アタッチメント使用）をセットし支持管を持ち噴霧操作握りを動作させることにより高所の噴霧作業、塗装作業を地上で可能にした装置である。この装置は軽量化を図る為、力の伝達又バランスをワイヤーに持たせたものである。
常に頭部にあるバランススプリングと底部にあるバランス調整スプリングに応力を持たせワイヤーに張力が働く様にし噴霧操作時はバランスが崩れスプレー缶が操作に併せて動きプッシュボタンがスプレー缶噴霧押しボタン固定ボルトに押しつけられ、あたかもプッシュボタンを押した様に働き噴霧作業を可能ならしめた装置に関するものでである。
【０００２】
【従来の技術】
従来は高所の植物の消毒、殺虫及び建物等の塗装作業は梯子また脚立を要する作業でありました。これを準備しセットするのが簡易な噴霧作業に対しきわめてわずらわしかった。
【０００３】
【発明が解決しようとする課題】
したがって従来のわずらわしかった足場準備セット作業を省くため本発明は使用者の強い要望にこたへ発明されたのである。
【０００４】
【課題を解決するための手段】
（イ）スプレー缶をセットする頭部の下に噴霧操作部を持った支持管を接続し高所噴霧作業を可能とした。
（ロ）スプレー缶の押しボタンまた引き金の応力に対応する、バランスを調整する底部を設け高所噴霧作業を可能とした。
（ハ）バランススプリング（１３）とバランス調整スプリング（２３）間の張力伝達部材にワイヤーを使用し軽量化を図り高所噴霧作業を可能とした。
（ニ）アタッチメント
【図１１】採用により引き金式スプレー缶の高所噴霧作業を可能とした。
【０００５】
【発明の実施の形態】
次に本発明の実施の形態を述べると、最初にスプレー缶の押しボタン応力より大きな張力がワイヤ（１７）にかかる様バランス調整ボルト用ナット（２６）にて調整固定する。この作業完了後スプレー缶受け皿（７）にスプレー缶をセットする。この時スプレー缶固定金物（４）に缶はホールドされ脱落が防止される。次にスプレー缶噴霧押しボタン固定ボルト（２）の先端を同ボルト調整つまみ（１）によりセットされたスプレー缶押しボタンに接触する様に調整する。これにてセットは完了です。この後噴霧本作業にはいり支持管（１５）を立てセットスプレー缶のノズルを被噴霧体に向け噴霧操作握り（１８）を上部に操作することによりバランスが崩れセットスプレー缶は受け皿（７）ととも持ち上げられ同押しボタンがスプレー缶噴霧押しボタン固定ボルト（２）に押しつけられ噴霧状態になります。また同操作握り（１８）をはなすと元のバランス状態になり噴霧が停止され目的が達成されます。
また引き金操作スプレー缶用アタッチメント
【図１１】を同上押しボタン式スプレー缶同様にセットされた引き金操作スプレー缶の上部にセットしスプレー缶噴霧押しボタン固定ボルト（２）の先端とアタッチメントの受けプレート（２６）を接触する様調節する。あとの操作はアタッチメント無い時と同様です。
【０００６】
【発明の効果】
だから脚立、梯子等の足場セット準備作業を省き、簡易な高所スプレー缶による噴霧作業が地上にて可能になった。
【図面の簡単な説明】
【図１】本発明の全体姿図
【図２】本発明の頭部詳細図
【図３】本発明の支持管及び噴霧操作部詳細図
【図４】本発明の底部詳細図
【図５】本発明のＡ−Ａ矢視図
【図６】本発明のＢ−Ｂ矢視図
【図７】本発明のＣ−Ｃ矢視図
【図８】本発明のＤ−Ｄ矢視図
【図９】本発明のＥ−Ｅ矢視図
【図１０】本発明のＦ−Ｆ矢視図
【図１１】本発明の引き金操作スプレー缶用アタッチメント全体姿図
【図１２】本発明の引き金操作スプレー缶用アタッチメント詳細平面図
【図１３】本発明の引き金操作スプレー缶用アタッチメント詳細立面図
【図１】
2004082086.tif 000003
【図２】
2004082086.tif 000004
【図３】
2004082086.tif 000005
【図４】
2004082086.tif 000006
【図５】
2004082086.tif 000007
【図６】
2004082086.tif 000008
【図７】
2004082086.tif 000009
【図８】
2004082086.tif 000010
【図９】
2004082086.tif 000011
【図１０】
2004082086.tif 000012
【図１１】
2004082086.tif 000013
【図１２】
2004082086.tif 000014
【手続補正書】
【提出日】平成14年11月1日(2002.11.1)
【手続補正１】
【補正対象書類名】図面
【補正対象項目名】全図
【補正方法】変更
【補正の内容】
【図１】
2004082086.tif 000015
【図２】
2004082086.tif 000016
【図３】
2004082086.tif 000017
【図４】
2004082086.tif 000018
【図５】
2004082086.tif 000019
【図６】
2004082086.tif 000020
【図７】
2004082086.tif 000021
【図８】
2004082086.tif 000022
【図９】
2004082086.tif 000023
【図１０】
2004082086.tif 000024
【図１１】
2004082086.tif 000025
【図１２】
2004082086.tif 000026
【図１３】
2004082086.tif 000027